(57)【要約】【課題】より広い表示領域を有すると共に、高い表示の自由度を維持しつつ駆動系の設計が複雑化しないアクティブマトリクス駆動の表示装置及びこの構成部品となるアクティブマトリクス回路基板を提供すること。【解決手段】第１基板上に設けられた複数の画素電極３５が、中央領域３０Ａ内から周辺領域３０Ｂにはみ出すように配置された周辺画素電極３５ｂを含んでいるので、当該周辺画素電極３５ｂがはみ出して配置される周辺領域３０Ｂにおいても表示が可能となる。このため、表示領域は画素が設けられた中央領域３０Ａ内だけでなく、周辺領域３０Ｂにまで広がることになる。この構成によれば、周辺画素電極３５ｂは他の画素電極３５ａと同様に画素駆動回路から駆動信号が供給されるので、アクティブマトリクス駆動が行われることとなる。【選択図】図５
2008224759.tif 000002
【特許請求の範囲】
【請求項１】
所定領域に複数の画素が設けられた基板と、
前記基板上の前記画素ごとにそれぞれ設けられ、前記所定領域内から前記所定領域の外側の領域にはみ出すように配置された周辺画素電極を含む複数の画素電極と、
前記基板の前記所定領域内に前記画素電極ごとに設けられ、前記画素電極に駆動信号を供給する画素駆動回路と
を具備することを特徴とするアクティブマトリクス回路基板。
【請求項２】
前記基板上の前記所定領域の外側の領域に設けられ、前記画素駆動回路に電気信号を供給するドライバ回路をさらに具備し、
前記周辺画素電極の一部分が、前記ドライバ回路に平面視で重なっている
ことを特徴とする請求項１に記載のアクティブマトリクス回路基板。
【請求項３】
前記周辺画素電極の面積が、前記所定領域内に設けられた画素電極の面積よりも大きい
ことを特徴とする請求項１又は請求項２に記載のアクティブマトリクス回路基板。
【請求項４】
前記画素駆動回路が、前記画素電極の面積に応じた強さの駆動信号を供給する
ことを特徴とする請求項３に記載のアクティブマトリクス回路基板。
【請求項５】
前記周辺画素電極には、前記画素駆動回路が複数設けられている
ことを特徴とする請求項１乃至請求項４のうちいずれか一項に記載のアクティブマトリクス回路基板。
【請求項６】
前記周辺画素電極が複数設けられており、
前記複数の周辺画素電極のうち一部の周辺画素電極が接地用の電極である
ことを特徴とする請求項１乃至請求項５のうちいずれか一項に記載のアクティブマトリクス回路基板。
【請求項７】
前記周辺画素電極が複数設けられており、
前記複数の周辺画素電極のうち一部の周辺画素電極がセグメント駆動用の電極である
ことを特徴とする請求項１乃至請求項６のうちいずれか一項に記載のアクティブマトリクス回路基板。
【請求項８】
前記セグメント駆動用の電極を独立して駆動可能な駆動回路が設けられている
ことを特徴とする請求項７に記載のアクティブマトリクス回路基板。
【請求項９】
対向配置され、電気光学物質層を挟持する第１基板及び第２基板と、
前記第１基板のうち前記第２基板との対向面に設けられた画素電極と、
前記第２基板のうち前記第１基板との対向面に設けられた対向電極と
を具備する表示装置であって、
前記第１基板が、請求項１乃至請求項８のうちいずれか一項に記載のアクティブマトリクス回路基板である
ことを特徴とする表示装置。
【請求項１０】
前記電気光学物質が、電気泳動粒子と当該電気泳動粒子を分散させる液相分散媒とからなる電気泳動分散液であることを特徴とする請求項９に記載の表示装置。
【発明の詳細な説明】
【技術分野】
【０００１】
本発明は、アクティブマトリクス回路基板及びこのアクティブマトリクス回路基板を備えた表示装置に関する。
【背景技術】
【０００２】
携帯電話や腕時計などの電子機器の表示部には、静止画や動画を表示する表示装置が搭載されている。このような表示装置のうち、例えば電気泳動表示装置は、対向配置された一対の基板（第１基板及び第２基板）によって電気泳動層が挟持された構成になっている。電気泳動表示装置の表示領域には、複数の画素が平面視でマトリクス状に配列されている。電気泳動表示装置の例えば第１基板には、第２基板との対向面に１画素ごとに画素電極が設けられている。第２基板には、第１基板との対向面のほぼ全面に対向電極が設けられている。画素電極と対向電極との間に所定の電界を印加することによって、両基板に挟持される電気泳動層を駆動するようになっている。
【０００３】
第１基板上の画素電極の下層側（第１基板表面側）には、当該画素電極に駆動信号を印加する画素駆動回路が形成されている。通常、画素駆動回路は、画素電極に平面視で重なるように形成される。電気泳動表示装置の表示領域の周りの領域には、この画素駆動回路に所定の電気信号を供給するドライバ回路が形成されている。ドライバ回路が形成される領域は、当該ドライバ回路用の配線などが細密に形成されているため、画素駆動回路を形成することができない。このため、従来、ドライバ形成領域には画素電極を形成せず、電気泳動表示装置の表示領域はドライバ形成領域を除いた領域に限定されていた。表示が行われないドライバ形成領域は遮光部などによって遮光されるため、電気泳動表示装置の周縁部分が暗く見えるようになっていた。
【０００４】
デザイン上の観点及びフレキシブル性の観点から、近年では、この暗く見える部分をより狭く表示領域をより広くした電気泳動表示装置が求められている。例えば特許文献１には、ドライバ形成領域上をセグメント駆動することによって表示領域をドライバ形成領域にまで広げる手法が提案されている。  
【特許文献１】特開２００６−２２７０５３号公報
【発明の開示】
【発明が解決しようとする課題】
【０００５】
しかしながら、特許文献１に記載の手法はセグメント駆動であるため、ドライバ形成領域の表示の自由度は、表示領域の表示の自由度に比べて少ない。この構成においてドライバ形成領域の表示の自由度を向上させるためには、接続端子を別途設けるか、セグメント制御用の回路を別途設ける必要があるため、駆動系の設計が極めて複雑になってしまう。
【０００６】
上記事情に鑑みて、本発明の目的は、より広い表示領域を有すると共に、高い表示の自由度を維持しつつ駆動系の設計が複雑化しないアクティブマトリクス駆動の表示装置及びこの構成部品となるアクティブマトリクス回路基板を提供することにある。
【課題を解決するための手段】
【０００７】
上記目的を達成するため、本発明に係るアクティブマトリクス回路基板は、所定領域に複数の画素が設けられた基板と、前記基板上の前記画素ごとにそれぞれ設けられ、前記所定領域内から前記所定領域の外側の領域にはみ出すように配置された周辺画素電極を含む複数の画素電極と、前記基板の前記所定領域内に前記画素電極ごとに設けられ、前記画素電極に駆動信号を供給する画素駆動回路とを具備することを特徴とする。  
本発明によれば、基板上に設けられた複数の画素電極が、所定領域内から所定領域の外側の領域にはみ出すように配置された周辺画素電極を含んでいるので、当該周辺画素電極がはみ出して配置される所定領域の外側の領域においても表示が可能となる。このため、表示領域は画素が設けられた所定領域内だけでなく、所定領域の外側にまで広がることになる。この構成によれば、周辺画素電極は他の画素電極と同様に画素駆動回路から駆動信号が供給されるので、アクティブマトリクス駆動が行われることとなる。これにより、より広い表示領域を有すると共に、高い表示の自由度を維持しつつ駆動系の設計が複雑化しないアクティブマトリクス回路基板を得ることができる。
【０００８】
上記のアクティブマトリクス回路基板は、前記基板上の前記所定領域の外側の領域に設けられ、前記画素駆動回路に電気信号を供給するドライバ回路をさらに具備し、前記周辺画素電極の一部分が、前記ドライバ回路に平面視で重なっていることを特徴とする。  
本発明によれば、基板上の所定領域の外側の領域に画素駆動回路に電気信号を供給するドライバ回路が設けられており、周辺画素電極の一部分がこのドライバ回路に平面視で重なっているので、表示領域をドライバ回路の設けられる領域にまで広げることができる。
【０００９】
上記のアクティブマトリクス回路基板は、前記周辺画素電極の面積が、前記所定領域内に設けられた画素電極の面積よりも大きいことを特徴とする。  
本発明によれば、周辺画素電極の面積が、所定領域内に設けられた画素電極の面積よりも大きいので、所定領域の外側の領域における表示を際立たせることができる。
【００１０】
上記のアクティブマトリクス回路基板は、前記画素駆動回路が、前記画素電極の面積に応じた強さの駆動信号を供給することを特徴とする。  
本発明によれば、画素駆動回路が画素電極の面積に応じた強さの駆動信号を供給するので、画素電極の面積の相違による表示のばらつきを抑え、安定かつ均一な表示が可能となる。
【００１１】
上記のアクティブマトリクス回路基板は、前記周辺画素電極には、前記画素駆動回路が複数設けられていることを特徴とする。  
本発明によれば、周辺画素電極には画素駆動回路が複数設けられているので、画素駆動回路が損傷した場合であっても冗長回路として機能させることができるので、確実に表示を行うことができる。
【００１２】
上記のアクティブマトリクス回路基板は、前記周辺画素電極が複数設けられており、前記複数の周辺画素電極のうち一部の周辺画素電極が接地用の電極であることを特徴とする。  
本発明によれば、周辺画素電極が複数設けられており、当該複数の周辺画素電極のうち一部の周辺画素電極が接地用の電極であるので、周辺画素電極と対向する電極との間に常に一定の電圧が印加されることになる。周辺画素電極が金属からなる場合、電気抵抗値が低くなるため他の配線の補強としても好適となる。周辺画素電極によって補強される分、他の配線を細く形成することができる。
【００１３】
上記のアクティブマトリクス回路基板は、前記周辺画素電極が複数設けられており、前記複数の周辺画素電極のうち一部の周辺画素電極がセグメント駆動用の電極であることを特徴とする。  
本発明によれば、周辺画素電極が複数設けられており、当該複数の周辺画素電極のうち一部の周辺画素電極がセグメント駆動用の電極であるので、画素駆動回路による駆動とは別に周辺画素電極を駆動させることができる。これにより、表示の自由度を一層高めることができる。
【００１４】
上記のアクティブマトリクス回路基板は、前記セグメント駆動用の電極を独立して駆動可能な駆動回路が設けられていることを特徴とする。  
本発明によれば、上記のセグメント駆動用の電極を独立して駆動可能な駆動回路が設けられているので、当該駆動回路によって他の画素電極とは異なる駆動系で表示を行うことができる。これにより、表示の自由度をさらに高めることができる。
【００１５】
本発明に係る表示装置は、対向配置され、電気光学物質層を挟持する第１基板及び第２基板と、前記第１基板のうち前記第２基板との対向面に設けられた画素電極と、前記第２基板のうち前記第１基板との対向面に設けられた対向電極とを具備する表示装置であって、前記第１基板が、上記のアクティブマトリクス回路基板であることを特徴とする。
【００１６】
本発明によれば、より広い表示領域を有すると共に、高い表示の自由度を維持しつつ駆動系の設計が複雑化しないアクティブマトリクス回路基板が搭載されているので、大きな表示面積を確保したアクティブマトリクス駆動の表示装置を得ることができる。
【００１７】
上記の表示装置は、前記電気光学物質が、電気泳動粒子と当該電気泳動粒子を分散させる液相分散媒とからなる電気泳動分散液であることを特徴とする。  
本発明によれば、表示装置を構成する電気泳動素子が表示の保持性（メモリ性）を有しているので、例えば表示を固定している際には電気泳動粒子に与える電界を無くしても、表示がそれ以前に与えられた電界による状態に保持される。したがって、消費電力の低減化が可能になる。
【発明を実施するための最良の形態】
【００１８】
［第１実施形態］  
以下、図面に基づき、本発明の第１実施形態を説明する。  
図１は、本実施形態に係る表示装置５の断面構成を示す図である。  
同図に示すように、表示装置５は、第１基板（アクティブマトリクス回路基板）３０と、第２基板３１と、電気泳動層３２とを主体として構成されている。
【００１９】
第１基板３０と第２基板３１とは、電気泳動層３２を挟持するように対向配置されている。第１基板３０の内面（第２基板３１との対向面）には、画素ごとにＩＴＯ（Indium Tin Oxide）や金属などの導電材料からなる画素電極３５が設けられている。第２基板３１の内面（第１基板３０との対向面）には、ＩＴＯ等の透明な導電材料からなる共通電極（対向電極）３７が形成されている。第２基板３１の外面は、静止画や動画などの画像が表示される表示面となる。
【００２０】
表示装置５は、図３に示すように画素部４０が平面視でマトリクス状に配列されている。各画素部４０は、図４の回路図に示すように、スイッチング素子としてのトランジスタ４１と、保持容量４２と、上述した電気泳動素子２８とを備えている。トランジスタ４１と保持容量４２とによって上述した画素駆動回路３４が構成されている。
【００２１】
トランジスタ４１は、例えば電界効果型のｎチャネルトランジスタであり、そのゲートが走査線（スキャン線）４７に接続され、一方のソースドレイン（入力端）がデータ線（信号線）４８に接続され、他方のソースドレイン（出力端）が画素電極３５及び保持容量４２に接続されている。
【００２２】
電気泳動層３２は、図２（ａ）及び図２（ｂ）に示すように多数のマイクロカプセル２４から構成されたもので、これらマイクロカプセル２４には、それぞれ電気泳動分散液２５が封入されている。この電気泳動分散液２５は、本発明における電気光学物質であって、正に帯電した黒色の電気泳動粒子（以下、黒色粒子と記す）２６と、負に帯電した白色の電気泳動粒子（以下、白色粒子と記す）２７とを、それぞれ多数個ずつ液相分散媒（図示せず）中に分散させてなるものである。
【００２３】
このように画素電極３５と共通電極３７とこれら電極間に挟持されてなる電気泳動層３２（マイクロカプセル２４）とからなる電気泳動素子２８の動作について説明する。図２（ａ）に示すように共通電極３７の電位が画素電極３５の電位より相対的に高い場合には、負に帯電した白色粒子２７が共通電極３７側に移動（泳動）し、正に帯電した黒色粒子２６は画素電極３５側に移動（泳動）する。この状態で表示面側となる共通電極３７側を見ると、この電気泳動素子２８に対応する画素部では白色が認識される。
【００２４】
また、図２（ｂ）に示すように画素電極３５の電位が共通電極３７の電位より相対的に高い場合には、正に帯電した黒色粒子２６が共通電極３７側に移動（泳動）し、負に帯電した白色粒子２７は画素電極３５側に移動（泳動）する。この状態で共通電極３７側を見ると、この電気泳動素子２８に対応する画素部では黒色が認識される。したがって、各画素部毎に白あるいは黒が表示されることにより、これら画素部が基本的にマトリクス状に配置された表示装置５では、白または黒からなるパターン表示が可能になっているのである。
【００２５】
なお、電気泳動分散液２５としては、前記の２粒子系のものに限定されることなく、１粒子系のものも使用可能であり、その場合に、液相分散媒として着色したものを使用することもできる。また、２粒子系、１粒子系のいずれにおいても、粒子の色については、白と黒以外の種々の色を採用することができる。
【００２６】
図５は、表示装置５のうちアクティブマトリクス回路基板としての第１基板３０の平面構成を示す図である。  
同図に示すように、以下では第１基板３０の中央部を中央領域（所定領域）３０Ａとし、中央領域３０Ａの外側の領域を周辺領域３０Ｂとして説明する。第１基板３０の中央領域３０Ａには、上記の画素４０がマトリクス状に配列されている。第１基板３０の周辺領域３０Ｂには、ソース駆動回路１１とゲート駆動回路１２とが設けられている。ソース駆動回路１１及びゲート駆動回路１２は、上記の画素駆動回路３４に電気信号を供給するドライバ回路である。
【００２７】
画素電極３５は、中央画素電極３５ａと、周辺画素電極３５ｂと、角部画素電極３５ｃとを含んでいる。中央画素電極３５ａは、中央領域３０Ａの画素４０に平面視で重なる位置に設けられており、画素４０と同様マトリクス状の配列になっている。中央画素電極３５ａは平面視矩形になっており、４辺の長さはほぼ等しくなっている。
【００２８】
周辺画素電極３５ｂは、このマトリクス状に配列された中央画素電極３５ａのうち最外周に設けられた画素電極である。周辺画素電極３５ｂは、中央領域３０Ａの各辺に沿って配列されており、中央領域３０Ａの内側から中央領域３０Ａの外側（周辺領域３０Ｂ側）へはみ出すように延設されている。
【００２９】
図６は、第１基板３０の一部を拡大して示す図である。図７は、表示装置５のうち図６で示す部分の断面構成を示す図である。これらの図に示すように、周辺画素電極３５ｂは、一部分が中央領域３０Ａ内に設けられている。当該中央領域３０Ａ内に設けられた一部分には画素駆動回路３４が接続されており、当該周辺画素電極３５ｂはアクティブマトリクス駆動が行われるようになっている。周辺画素電極３５ｂのうち周辺領域３０Ｂにはみ出した部分は、当該周辺領域３０Ｂに設けられるソース駆動回路１１又はゲート駆動回路１２に平面視で重なる位置まで延びている。図８に示すように、周辺画素電極３５ｂの長手方向の寸法ｔ２は、中央画素電極３５ａの一辺の寸法ｔ１に対して４倍程度になっている。その分周辺画素電極３５ｂの面積は中央画素電極３５ａの面積よりも大きくなっているため、周辺画素電極３５ｂに接続された画素駆動回路３４のトランジスタ４１や保持容量４２は、周辺画素電極３５ｂに供給する駆動信号を強くするようになっている。
【００３０】
角部画素電極３５ｃは、周辺画素電極３５ｂのうち角部に設けられた画素電極である。角部画素電極３５ｃは、中央領域３０Ａ内の各角部から当該中央領域３０Ａの外側へはみ出すように配置されている。これら中央画素電極３５ａ、周辺画素電極３５ｂ、角部画素電極３５ｃの配置された領域が表示装置５の表示領域となる。
【００３１】
このように、本実施形態によれば、第１基板３０上に設けられた複数の画素電極３５が、中央領域３０Ａ内から周辺領域３０Ｂにはみ出すように配置された周辺画素電極３５ｂを含んでいるので、当該周辺画素電極３５ｂがはみ出して配置される周辺領域３０Ｂにおいても表示が可能となる。このため、表示領域は画素が設けられた中央領域３０Ａ内だけでなく、周辺領域３０Ｂにまで広がることになる。この構成によれば、周辺画素電極３５ｂは他の画素電極３５ａと同様に画素駆動回路３４から駆動信号が供給されるので、アクティブマトリクス駆動が行われることとなる。これにより、より広い表示領域を有すると共に、高い表示の自由度を維持しつつ駆動系の設計が複雑化しないアクティブマトリクス回路基板を得ることができる。
【００３２】
また、本実施形態によれば、周辺画素電極３５ｂの面積が、中央領域３０Ａ内に設けられた中央画素電極３５ａの面積よりも大きいので、周辺領域３０Ｂにおける表示を際立たせることができる。加えて、第１基板３０の画素駆動回路３４が、画素電極３５の面積に応じた強さの駆動信号を供給するので、画素電極３５の面積の相違による表示のばらつきを抑え、安定かつ均一な表示が可能となる。
【００３３】
［第２実施形態］  
次に、本発明の第２実施形態を説明する。  
図９は、本実施形態に係る表示装置１０５のうち、第１基板（アクティブマトリクス回路基板）１３０の構成を示すものである。  
同図に示すように、表示装置１０５の第１基板１３０は平面視で八角形の形状をしている。第１基板１３０の中央部は、画素がマトリクス状に配列された領域（中央領域１３０Ａ）になっている。第１基板１３０の周辺部は、例えばドライバ回路などが形成された領域（周辺領域１３０Ｂ）になっている。
【００３４】
第１基板１３０の表面には画素電極１３５が設けられている。画素電極１３５は、中央画素電極１３５ａ、周辺画素電極１３５ｂ及び角部画素電極１３５ｃの３種類の電極を含んでいる。
【００３５】
中央画素電極１３５ａは、中央領域１３０Ａに平面視でマトリクス状に配列された矩形の画素電極である。中央領域１３０Ａの形状（八角形）に沿って配列されている。マトリクスの行方向及び列方向に対して４５°傾いた辺に沿った領域では、各列の中央画素電極１３５ａの個数が当該辺の傾きに合わせて１つずつ増えるように（あるいは減るように）設けられている。
【００３６】
周辺画素電極１３５ｂは、第１基板１３０の中央領域１３０Ａから周辺領域１３０Ｂにはみ出すように設けられた画素電極である。中央領域１３０Ａの各辺に直交する方向に延設されている。角部画素電極１３５ｃは、八角形の各角部に配置され、第１基板１３０の中央領域１３０Ａから周辺領域１３０Ｂにはみ出すように設けられた画素電極である。角部において周辺画素電極１３５ｂ同士の隙間を埋めるように設けられている。例えばセグメント用の駆動回路を別途設けて角部画素電極１３５ｃに接続するようにしても構わない。
【００３７】
本実施形態のように、表示装置１０５（第１基板１３０）の形状が矩形とは異なる形状（例えば八角形）であっても、表示領域を広げることが可能となる。このため、第１実施形態と同様に、より広い表示領域を有すると共に、高い表示の自由度を維持しつつ駆動系の設計が複雑化しないアクティブマトリクス回路基板を得ることができる。
【００３８】
なお、本実施形態の構成は上記構成に限られず、例えば図１０に示すように、マトリクスの行方向及び列方向に対して４５°傾いた辺において、周辺画素電極１３５ｂの配置を例えば図のように中央画素電極１３５ａの位置に沿って設けることにより、角部画素電極１３５ｃを設けない構成とすることも可能である。
【００３９】
［第３実施形態］  
次に、本発明の第３実施形態を説明する。  
図１１は、本実施形態に係る表示装置２０５のうち、第１基板（アクティブマトリクス回路基板）２３０の構成を示すものである。  
同図に示すように、表示装置２０５の第１基板２３０は平面視で十六角形の形状をしている。第１基板２３０の中央部は、画素がマトリクス状に配列された領域（中央領域２３０Ａ）になっている。第１基板２３０の周辺部は、例えばドライバ回路などが形成された領域（周辺領域２３０Ｂ）になっている。
【００４０】
第１基板２３０の中央領域２３０Ａには中央画素電極２３５ａがマトリクス状に配列されており、中央領域２３０Ａから周辺領域２３０Ｂにはみ出すように周辺画素電極２３５ｂが設けられており、中央領域２３０Ａの角部には周辺画素電極２３５ｂの隙間を埋めるように角部画素電極２３５ｃが設けられている。周辺画素電極２３５ｂは、走査線２４８を跨ぐように設けられている。第２実施形態と同様に、例えばセグメント用の駆動回路を別途設けて、角部画素電極２３５ｃに接続するようにしても構わない。
【００４１】
本実施形態のように、表示装置２０５（第１基板２３０）の形状が十六角形であっても、表示領域を広げることが可能となる。このため、第１実施形態と同様に、より広い表示領域を有すると共に、高い表示の自由度を維持しつつ駆動系の設計が複雑化しないアクティブマトリクス回路基板を得ることができる。
【００４２】
なお、本実施形態の構成は上記構成に限られず、例えば図１２に示すように、マトリクスの行方向及び列方向に対して２２．５°傾いた辺において、周辺画素電極２３５ｂの配置を例えば図のように列方向に沿ってずらすことにより、角部画素電極２３５ｃを設けない構成とすることも可能である。例えば、同図に示すように、周辺画素電極２３５ｂの配置を列方向（周辺画素電極２３５ｂの延在方向）に沿ってずらすとともに、例えば図のように走査線２４８を段階的に束ねていくように配置する（同図では、上部方向から段階的に６本まで束ねたところまで提示している）。走査線２４８を段階的に束ねていくことにより、周辺画素電極２３５ｂを円形に近づけることができる。
【００４３】
また、図１３に示すように、中央領域２３０Ａの形状を円形にすることも可能である。中央領域２３０Ａを円形にすることによって、当該中央領域２３０Ａ内にマトリクス状に配列される中央画素電極２３５ａの位置が整えられることになる。また、円形の中央領域２３０Ａの円周を跨ぐように周辺画素電極２３５ｂを設けることによって、角部画素電極２３５ｃを設けない構成とすることが可能となる。
【００４４】
［第４実施形態］  
次に、本発明の第４実施形態を説明する。  
図１４は、本実施形態に係る表示装置を備えた腕時計３０１の正面図である。
【００４５】
同図に示すように、腕時計３０１は、時計ケース３０２と、当該時計ケース３０２に連結された一対のバンド３０３とを主体として構成されている。
【００４６】
時計ケース３０２は、ステンレス等の金属又はプラスチック樹脂等の樹脂からなる。時計ケース３０２の正面には、表示装置３０５と、秒針３２１と、分針３２２と、時針３２３とが設けられている。時計ケース３０２の側面には、操作子としての竜頭３１０と操作ボタン３１１とが設けられている。竜頭３１０は、ケース内部に設けられる巻真（図示せず）に連結されており、当該巻真と一体となって多段階（例えば２段階）で押し引き自在、かつ、回転自在に設けられている。
【００４７】
図１５は、腕時計３０１の側断面図である。  
同図に示すように、時計ケース３０２の内部には収容部３０２Ａが設けられている。収容部３０２Ａには、ムーブメント３０４と表示装置３０５とが収容されている。
【００４８】
ムーブメント３０４は、秒針３２１、分針３２２及び時針３２３からなるアナログ指針が連結された運針機構（図示せず）を有している。この運針機構が前記アナログ指針３２１〜３２３を回転駆動することにより、設定された時刻を表示する時刻表示部として機能するようになっている。
【００４９】
表示パネル３０５は、例えばアクティブマトリクス駆動の電気泳動表示パネルによって構成されており、ムーブメント３０４の時計正面側に配置されている。この表示パネル３０５は、腕時計３０１の表示部を構成する。表示パネル３０５の表示面は、ここでは円形状になっている。表示面の形状については、円形状のほか、例えば正八角形状、十六角形状など、他の形状になっていても構わない。
【００５０】
表示パネル３０５の中央部には、当該表示パネル３０５の表裏を貫通する貫通孔３０５Ａが形成されている。貫通孔３０５Ａには、前記ムーブメント３０４の運針機構（図示せず）の秒車３２４、二番車３２５及び筒車３２６の各軸が挿入されている。各軸の先端には、上述した秒針３２１、分針３２２及び時針３２３がそれぞれ取り付けられている。
【００５１】
収容部３０２Ａの一端側（時計正面側）には、ガラス製又は樹脂製の透明カバー３０７が設けられている。この透明カバー３０７は、樹脂製又は金属製の圧入リング３０６を介して収容部３０２Ａに圧入固定されている。収容部３０２Ａの他端側（時計裏側）には、パッキン３０８を介して裏蓋３０９が螺合されている。裏蓋３０９及び透明カバー３０７によって時計ケース３０２の内部の密封性が確保されている。
【００５２】
図１６は表示パネル３０５の構成を概略的に示す断面図である。  
同図に示すように、表示パネル３０５は、第１基板（アクティブマトリクス回路基板）３３０と、第２基板３３１と、電気泳動層３３２とを主体として構成されている。
【００５３】
第１基板３３０と第２基板３３１とは、電気泳動層３３２を挟持するように対向配置されている。第１基板３３０の内面（第２基板３３１との対向面）には、画素電極３３５が形成されている。第２基板３３１の内面（第１基板３３０との対向面）には、ＩＴＯ等の透明な導電材料からなる共通電極（対向電極）３３７が形成されている。第２基板３３１の外面は、静止画や動画などの画像が表示される表示面になっている。第１基板３３０及び第２基板３３１の中央には、上述した貫通孔３０５Ａが形成されている。貫通孔３０５Ａは、第１基板３３０及び第２基板３３１のうち平面視で重なる領域を貫くように形成されている。貫通孔３０５Ａの内側面には、シール部３５１が設けられている。シール部３５１は、第１基板３３０と第２基板３３１との間の領域（電気泳動層３３２が設けられた領域）を封止するように設けられている。
【００５４】
図１７は、表示パネル３０５の第１基板３３０の構成を示す平面図である。  
第１基板３３０は、例えば十六角形の形状になっている。第１基板３３０のほぼ中央には、上記のシール部３５１及び貫通孔３０５Ａの一部が形成されている。
【００５５】
貫通孔３０５Ａが設けられた部分を基準として下側半分の領域の中央部分（下側中央領域３３０Ａ）には、中央画素電極３３５ａがマトリクス状に配列されている。この下側半分の領域のうち周辺領域（下側周辺領域３３０Ｂ）には、ドライバ回路３１１及び３１２、セグメント用の電極３１０が設けられている。
【００５６】
下側中央領域３３０Ａから下側周辺領域３３０Ｂにはみ出すように周辺画素電極３３５ｂが設けられている。周辺画素電極３３５ｂのうち下側中央領域３３０Ａの円弧部分に沿って配列されているものについては、当該円弧の径方向に沿って延設されている。周辺画素電極３３５ｂのうち下側中央領域３３０Ａの図中上辺に沿って配列されているものについては、ドライバ回路３１１及び３１２に一部分が平面視で重なるように配列されている。
【００５７】
セグメント用の電極３１０は、例えば別途設けられたセグメント駆動回路に接続されている。セグメント用の電極３１０においては、上記の画素電極３３５とは異なる駆動系で駆動を行うことが可能になっている。なお、上側半分の領域には画素電極３３５やドライバ回路３１１及び３１２などの駆動系は設けられていない。
【００５８】
本実施形態のように、表示パネル３０５の中央に貫通孔３０５Ａが形成されたものであっても、より広い表示領域を有すると共に、高い表示の自由度を維持しつつ駆動系の設計が複雑化しないアクティブマトリクス回路基板を得ることができる。
【００５９】
本発明の技術範囲は上記実施形態に限定されるものではなく、本発明の趣旨を逸脱しない範囲で適宜変更を加えることができる。  
例えば、上記実施形態においては、１つの周辺画素電極には１つの画素駆動回路が接続されるものとして説明及び図示したが、これに限られることは無い。例えば１つの周辺画素電極に複数の画素駆動回路を接続する構成であっても構わない。周辺画素電極に画素駆動回路を複数接続することにより、画素駆動回路が損傷した場合であっても冗長回路として機能させることができるので、確実に表示を行うことができる。
【００６０】
また、複数の周辺画素電極のうち一部の周辺画素電極を接地用の電極としても良い。この構成によれば、周辺画素電極と対向する電極との間に常に一定の電圧が印加されることになる。周辺画素電極が金属からなる場合、電気抵抗値が低くなるため他の配線の補強としても好適となる。周辺画素電極によって補強される分、他の配線を細く形成することができる。
【図面の簡単な説明】
【００６１】
【図１】本発明の第１実施形態に係る表示装置の構成を示す断面図。
【図２】本実施形態に係る表示装置の動作を示す断面図。
【図３】本実施形態に係る表示装置の構成を示す平面図。
【図４】本実施形態に係る表示装置の画素の構成を示す図。
【図５】本実施形態に係る表示装置の構成を示す平面図。
【図６】本実施形態に係る表示装置の一部の構成を示す平面図。
【図７】本実施形態に係る表示装置の一部の構成を示す断面図。
【図８】本実施形態に係る表示装置の一部の構成を示す平面図。
【図９】本発明の第２実施形態に係る表示装置の第１基板の構成を示す平面図。
【図１０】本実施形態に係る他の表示装置の構成を示す平面図。
【図１１】本発明の第３実施形態に係る表示装置の第１基板の構成を示す平面図。
【図１２】本実施形態に係る表示装置の他の構成を示す平面図。
【図１３】本実施形態に係る表示装置の他の構成を示す平面図。
【図１４】本発明の第４実施形態に係る腕時計の構成を示す平面図。
【図１５】本実施形態に係る腕時計の構成を示す断面図。
【図１６】本実施形態に係る表示パネルの構成を示す断面図。
【図１７】本実施形態に係る表示パネルの第１基板の構成を示す平面図。
【符号の説明】
【００６２】
５…表示装置  １１…ソース駆動回路  １２…ゲート駆動回路  ２８…電気泳動素子  ３０…第１基板  ３０Ａ…中央領域  ３０Ｂ…周辺領域  ３１…第２基板  ３２…電気泳動層  ３４…画素駆動回路  ３５…画素電極  ３５ａ…中央画素電極  ３５ｂ…周辺画素電極  ３５ｃ…角部画素電極  ３７…共通電極  ４０…画素部  ４１…トランジスタ  ４２…保持容量  ４７…走査線  ４８…データ線
【図１】
2008224759.tif 000003
【図２】
2008224759.tif 000004
【図３】
2008224759.tif 000005
【図４】
2008224759.tif 000006
【図５】
2008224759.tif 000007
【図６】
2008224759.tif 000008
【図７】
2008224759.tif 000009
【図８】
2008224759.tif 000010
【図９】
2008224759.tif 000011
【図１０】
2008224759.tif 000012
【図１１】
2008224759.tif 000013
【図１２】
2008224759.tif 000014
【図１３】
2008224759.tif 000015
【図１４】
2008224759.tif 000016
【図１５】
2008224759.tif 000017
【図１６】
2008224759.tif 000018
【図１７】
2008224759.tif 000019